(57)【要約】【課題】１つのＤＴＭＦレシーバで複数のラインのＤＴＭＦ信号を検出することができる電話装置を提供することを目的とする。【解決手段】複数のラインＬ１、Ｌ２のＤＴＭＦ信号を受信することが可能な１つのＤＴＭＦレシーバ２と、複数のラインのいずれのラインにＤＴＭＦ信号が到来しているかを検知するＤＴＭＦ有無検知回路５、６と、ＤＴＭＦレシーバにおいてＤＴＭＦ信号から生成されたコーラＩＤを入力すると共に全体を制御する中央処理装置１とを有する。【選択図】  図１
2004158918.tif 000002
【特許請求の範囲】
【請求項１】
複数のラインのＤＴＭＦ信号を受信することが可能な１つのＤＴＭＦレシーバと、複数のラインのいずれのラインにＤＴＭＦ信号が到来しているかを検知するＤＴＭＦ有無検知回路と、前記ＤＴＭＦレシーバにおいてＤＴＭＦ信号から生成されたコーラＩＤを入力すると共に全体を制御する中央処理装置とを有することを特徴とする電話装置。
【請求項２】
複数のラインのＤＴＭＦ信号が入力される第１の入力ラインと複数のラインのうちのいずれかのラインに接続される第２の入力ラインとを切り替えると共に前記第１の入力ラインまたは前記第２の入力ラインを前記ＤＴＭＦレシーバに接続する第１のスイッチと、複数のラインのうちのいずれかのラインを選択すると共に前記選択したラインを前記第２の入力ラインに接続する第２のスイッチとを備えたことを特徴とする請求項１に記載の電話装置。
【請求項３】
前記中央処理装置は、前記ＤＴＭＦレシーバからコーラＩＤを入力したか否かを判定する受信判定手段と、前記受信判定手段においてコーラＩＤを入力したと判定したときにいずれのラインにＤＴＭＦ信号が到来したかを前記ＤＴＭＦ有無検知回路からの信号に基づいて判別するライン判別手段とを有することを特徴とする請求項１に記載の電話装置。
【請求項４】
前記中央処理装置は、前記ＤＴＭＦレシーバからコーラＩＤを入力したか否かを判定する受信判定手段と、前記受信判定手段においてコーラＩＤを入力したと判定したときはいずれのラインがＤＴＭＦ信号が到来した到来ラインであるかを前記ＤＴＭＦ有無検知回路からの信号に基づいて判別するライン判別手段と、前記受信判定手段においてコーラＩＤを入力したと判定したときに前記第１のスイッチにより前記第２の入力ラインと前記ＤＴＭＦレシーバとを接続させると共に前記ライン判別手段において判別した到来ラインと前記第２の入力ラインとを前記第２のスイッチにより接続させるスイッチ制御手段とを有することを特徴とする請求項２に記載の電話装置。
【請求項５】
前記スイッチ制御手段は、前記ＤＴＭＦレシーバからコーラＩＤの１桁目の受信を完了したときに直ちに第１のスイッチを前記第２の入力ラインに接続することを特徴とする請求項２または４に記載の電話装置。
【発明の詳細な説明】
【０００１】
【発明の属する技術分野】
本発明は、コーラＩＤ（発呼者番号）を利用者に通知する電話装置に関するものである。
【０００２】
【従来の技術】
従来、複数の電話回線（ライン）のＤＴＭＦ信号を受信してコーラＩＤを検出する電話装置の場合、ライン毎にＤＴＭＦレシーバやモデムなどの受信デバイスを設ける必要があり、高コストの原因となっていた。
【０００３】
ライン毎の受信デバイスを設けることを避けるための電話装置としては、特許文献１に記載されているマルチライン電話装置がある。この特許文献１においては、キャリア信号検出回路を使用してスイッチを切り替えることにより、１つのモデムで複数のラインのコーラＩＤを受信することが記載されている。
【０００４】
【特許文献１】
特開２０００−２２８７０３号公報
【０００５】
【発明が解決しようとする課題】
しかしながら、上記従来のマルチライン電話装置では、１つのモデムで複数のラインのコーラＩＤを受信しているが、ＤＴＭＦ信号の場合は同期信号は送られずＤＴＭＦ信号が突然に送られてくるため、キャリア信号検出回路を使用してスイッチを切り替えても、ＤＴＭＦ信号の最初の信号（１桁目の信号）を受信することができないという問題点を有していた。
【０００６】
この電話装置では、１つのＤＴＭＦレシーバで複数のラインのＤＴＭＦ信号を検出することが要求されている。
【０００７】
本発明は、この要求を満たすため、１つのＤＴＭＦレシーバで複数のラインのＤＴＭＦ信号を検出することができる電話装置を提供することを目的とする。
【０００８】
【課題を解決するための手段】
上記課題を解決するために本発明の電話装置は、複数のラインのＤＴＭＦ信号を受信することが可能な１つのＤＴＭＦレシーバと、複数のラインのいずれのラインにＤＴＭＦ信号が到来しているかを検知するＤＴＭＦ有無検知回路と、ＤＴＭＦレシーバにおいてＤＴＭＦ信号から生成されたコーラＩＤを入力すると共に全体を制御する中央処理装置とを有する構成を備えている。
【０００９】
これにより、１つのＤＴＭＦレシーバで複数のラインのＤＴＭＦ信号を検出することができる電話装置が得られる。
【００１０】
【発明の実施の形態】
本発明の請求項１に記載の電話装置は、複数のラインのＤＴＭＦ信号を受信することが可能な１つのＤＴＭＦレシーバと、複数のラインのいずれのラインにＤＴＭＦ信号が到来しているかを検知するＤＴＭＦ有無検知回路と、ＤＴＭＦレシーバにおいてＤＴＭＦ信号から生成されたコーラＩＤを入力すると共に全体を制御する中央処理装置とを有することとしたものである。
【００１１】
この構成により、中央処理装置は、複数のラインのいずれかにＤＴＭＦ信号が到来すれば、ＤＴＭＦレシーバからのコーラＩＤの入力によりＤＴＭＦ信号の到来を認識することができ、いずれのラインにＤＴＭＦ信号が到来しているかをＤＴＭＦ有無検知回路からの通知に基づいて認識することができるので、直ちにＤＴＭＦ信号が到来しているラインとＤＴＭＦレシーバとを接続してＤＴＭＦ信号から生成されたコーラＩＤを入力することができると共に最初のＤＴＭＦ信号によるコーラＩＤをもＤＴＭＦレシーバから入力することができ、１つのＤＴＭＦレシーバで複数のラインのＤＴＭＦ信号を検出することができるという作用を有する。
【００１２】
請求項２に記載の電話装置は、請求項１に記載の電話装置において、複数のラインのＤＴＭＦ信号が入力される第１の入力ラインと複数のラインのうちのいずれかのラインに接続される第２の入力ラインとを切り替えると共に第１の入力ラインまたは第２の入力ラインをＤＴＭＦレシーバに接続する第１のスイッチと、複数のラインのうちのいずれかのラインを選択すると共に選択したラインを第２の入力ラインに接続する第２のスイッチとを備えることとしたものである。
【００１３】
この構成により、ＤＴＭＦレシーバからのコーラＩＤの入力によりＤＴＭＦ信号の到来を認識した時点においてＤＴＭＦレシーバを第２の入力ラインすなわち第２のスイッチに接続し、ＤＴＭＦ有無検知回路からの通知に基づいて選択したラインと第２の入力ラインとを第２のスイッチにより接続することができるので、確実に到来ＤＴＭＦ信号のみをＤＴＭＦレシーバに入力してコーラＩＤを生成することができるという作用を有する。
【００１４】
請求項３に記載の電話装置は、請求項１に記載の電話装置において、中央処理装置は、ＤＴＭＦレシーバからコーラＩＤを入力したか否かを判定する受信判定手段と、受信判定手段においてコーラＩＤを入力したと判定したときにいずれのラインにＤＴＭＦ信号が到来したかをＤＴＭＦ有無検知回路からの信号に基づいて判別するライン判別手段とを有することとしたものである。
【００１５】
この構成により、ＤＴＭＦ信号が到来したか否かということと、いずれのラインにＤＴＭＦ信号が到来したかということを確実に認識することができるので、第１のスイッチと第２のスイッチとを制御して、ＤＴＭＦレシーバと第２のスイッチとを確実に接続し、ＤＴＭＦ有無検知回路からの通知に基づいて選択した選択したラインと第２の入力ラインとを確実に接続することができるという作用を有する。
【００１６】
請求項４に記載の電話装置は、請求項２に記載の電話装置において、中央処理装置は、ＤＴＭＦレシーバからコーラＩＤを入力したか否かを判定する受信判定手段と、受信判定手段においてコーラＩＤを入力したと判定したときはいずれのラインがＤＴＭＦ信号が到来した到来ラインであるかをＤＴＭＦ有無検知回路からの信号に基づいて判別するライン判別手段と、受信判定手段においてコーラＩＤを入力したと判定したときに第１のスイッチにより第２の入力ラインとＤＴＭＦレシーバとを接続させると共にライン判別手段において判別した到来ラインと第２の入力ラインとを第２のスイッチにより接続させるスイッチ制御手段とを有することとしたものである。
【００１７】
この構成により、第１のスイッチと第２のスイッチとをスイッチ制御手段により制御して、ＤＴＭＦレシーバと第２のスイッチとを確実に接続し、到来ラインと第２の入力ラインとを確実に接続することができるという作用を有する。
【００１８】
請求項５に記載の電話装置は、請求項２または４に記載の電話装置において、スイッチ制御手段は、ＤＴＭＦレシーバからコーラＩＤの１桁目の受信を完了したときに直ちに第１のスイッチを第２の入力ラインに接続することとしたものである。
【００１９】
この構成により、ＤＴＭＦレシーバに接続されるラインは、複数のラインから選択ライン（到来ライン）に直ちに切り替えられるので、選択ライン以外のラインのＤＴＭＦ信号やベル信号がＤＴＭＦレシーバに入力されることが防止され、ＤＴＭＦレシーバにおけるコーラＩＤの誤検出が防止されるという作用を有する。
【００２０】
以下、本発明の実施の形態について、図１〜図４を用いて説明する。
【００２１】
（実施の形態１）
図１は、本発明の実施の形態１による電話装置を示すブロック図である。
【００２２】
図１において、１は全体を制御するＣＰＵ（中央処理装置）、２は複数のラインのＤＴＭＦ信号を受信することが可能なＤＴＭＦレシーバ、３は後述の第１のスイッチＳＷ１を切り替えるスイッチ切替え回路、４は後述の第２のスイッチＳＷ２を切り替えるスイッチ切替え回路、５はラインＬ１（ＬＩＮＥ１）にＤＴＭＦ信号が到来しているか否かを検知する第１のＤＴＭＦ有無検知回路、６はラインＬ２（ＬＩＮＥ２）にＤＴＭＦ信号が到来しているか否かを検知する第２のＤＴＭＦ有無検知回路、７はラインＬ１を直流的に遮断して第１の入力ライン９に接続するコンデンサ、８はラインＬ２を直流的に遮断して第１の入力ライン９に接続するコンデンサ、ＳＷ１は複数のライン（ここではラインＬ１とＬ２）のＤＴＭＦ信号が入力される第１の入力ライン９と複数のラインのうちのいずれかのラインに接続される第２の入力ライン１０とを切り替えると共に第１の入力ライン９または第２の入力ライン１０をＤＴＭＦレシーバ２に接続する第１のスイッチ、ＳＷ２は複数のラインのうちのいずれかのライン（ラインＬ１またはＬ２）を選択すると共に選択したラインを第２の入力ライン１０に接続する第２のスイッチである。
【００２３】
図２は、ＣＰＵ１における機能実現手段（図示しないメモリに格納されたプログラムを実行することにより実現される手段）を示す機能ブロック図である。
【００２４】
図２において、１１は後述の受信判定手段１２においてコーラＩＤを入力したと判定したときに第１のスイッチＳＷ１により第２の入力ライン１０とＤＴＭＦレシーバ２とを接続させると共に後述のライン判別手段１３において判別した到来ライン（ラインＬ１またはＬ２）と第２の入力ライン１０とを第２のスイッチＳＷ１により接続させるスイッチ制御手段、１２はＤＴＭＦレシーバ２からコーラＩＤを入力したか否かを判定する受信判定手段、１３は受信判定手段１２においてコーラＩＤを入力したと判定したときはいずれのラインがＤＴＭＦ信号が到来した到来ラインであるかをＤＴＭＦ有無検知回路５、６からの信号に基づいて判別するライン判別手段、１４はＤＴＭＦレシーバ２から入力したコーラＩＤの処理を行う受信処理手段、１５はＤＴＭＦ信号の受信すなわちコーラＩＤの入力を終了したか否かを判定する受信終了判定手段である。
【００２５】
このように構成された電話装置のＣＰＵ１について、その動作を図３、図４を用いて説明する。図３はＣＰＵ１の動作を示すフローチャートであり、図４（ａ）は到来するＤＴＭＦ信号を示すタイミング図、図４（ｂ）はスイッチＳＷ１の切替え位置を示すタイミング図、図４（ｃ）はスイッチＳＷ２の切替え位置を示すタイミング図、図４（ｄ）はＤＴＭＦ有無検知回路５の出力信号を示すタイミング図、図４（ｅ）はＤＴＭＦ有無検知回路６の出力信号を示すタイミング図である。
【００２６】
図３において、まず、スイッチ制御手段１１は、スイッチＳＷ１を制御して、入力ライン９とＤＴＭＦレシーバ２とを接続する（Ｓ１）。すなわち、入力ライン９に交流的に接続されている（直流的にはコンデンサ７、８で遮断されている）ラインＬ１およびＬ２をＤＴＭＦレシーバ２に接続する。次に、受信判定手段１２は、ＤＴＭＦレシーバ２からコーラＩＤの入力があったか否か、すなわちＤＴＭＦ信号（図４（ａ））が入力ライン９に到来したか否かを判定する（Ｓ２）。ＤＴＭＦ信号が入力ライン９に到来し、その到来ＤＴＭＦ信号をＤＴＭＦレシーバ２が受信したと判定したときは、次に、受信判定手段１２は、ＤＴＭＦ信号の１桁目を受信したか否かを判定する（Ｓ３）。ＤＴＭＦ信号の１桁目を受信したと判定したときは次にライン判別手段１３は、ＤＴＭＦ有無検知回路５、６から入力するＤＴＭＦ信号の有無を示す有無検知信号に基づき、ＤＴＭＦ信号がラインＬ１とＬ２のいずれに到来しているか判別する（Ｓ４）。ラインＬ１に到来していると判別した場合、スイッチ制御手段１１は、図４（ｂ）に示すように、第１のスイッチＳＷ１を制御して、入力ライン１０すなわちスイッチＳＷ２とＤＴＭＦレシーバ２とを接続し、第２のスイッチＳＷ２を制御して、ラインＬ１と入力ライン１０とを接続する（Ｓ５）。ステップＳ４においてラインＬ２に到来していると判別した場合、スイッチ制御手段１１は、図４（ｂ）に示すように、第１のスイッチＳＷ１を制御して、入力ライン１０すなわちスイッチＳＷ２とＤＴＭＦレシーバ２とを接続し、図４（ｃ）に示すように、第２のスイッチＳＷ２を制御して、ラインＬ２と入力ライン１０とを接続する（Ｓ６）。ステップＳ５またはＳ６でスイッチＳＷ１、ＳＷ２を制御した後、受信処理手段１４は、入力したコーラＩＤに対する処理を行い（Ｓ７）、受信終了判定手段１５は、ＤＴＭＦ信号の受信すなわちコーラＩＤの入力を終了したか否かを判定する（Ｓ８）。終了していないと判定したときはステップＳ７へ戻ってコーラＩＤに対する処理を続行し、終了したと判定したときはステップＳ１へ戻って次のＤＴＭＦ信号の到来を待つ。
【００２７】
図４は、ラインＬ２にＤＴＭＦ信号が到来した場合を示し、図４（ｄ）、（ｅ）に示すように、ＤＴＭＦ有無検知回路５は何ら検知せず、ＤＴＭＦ有無検知回路６がＤＴＭＦ信号を検知している。そして、スイッチ制御手段１１は、スイッチＳＷ２を制御して、ラインＬ２とスイッチＳＷ１、すなわちラインＬ２と入力ライン１０とを接続し、スイッチＳＷ１を制御して、入力ライン１０とＤＴＭＦレシーバ２とを接続する。なお、スイッチＳＷ１は、ＤＴＭＦ信号がラインＬ１、Ｌ２のいずれに到来しようとも、入力ライン１０とＤＴＭＦレシーバ２とを接続するように切り替えられる。これは、前述したように、選択されたライン（ここではラインＬ２）以外のラインのＤＴＭＦ信号が入力ライン９に到来した場合のＤＴＭＦレシーバ２におけるコーラＩＤの誤検出を防止するためである。
【００２８】
以上のように本実施の形態によれば、複数のラインＬ１、Ｌ２のＤＴＭＦ信号を受信することが可能な１つのＤＴＭＦレシーバ２と、複数のラインＬ１、Ｌ２のいずれのラインにＤＴＭＦ信号が到来しているかを検知するＤＴＭＦ有無検知回路５、６と、ＤＴＭＦレシーバ２においてＤＴＭＦ信号から生成されたコーラＩＤを入力すると共に全体を制御する中央処理装置１とを有することにより、中央処理装置１は、複数のラインＬ１、Ｌ２のいずれかにＤＴＭＦ信号が到来すれば、ＤＴＭＦレシーバ２からのコーラＩＤの入力によりＤＴＭＦ信号の到来を認識することができ、いずれのラインにＤＴＭＦ信号が到来しているかをＤＴＭＦ有無検知回路５、６からの通知に基づいて認識することができるので、直ちにＤＴＭＦ信号が到来しているラインとＤＴＭＦレシーバ２とを接続してＤＴＭＦ信号から生成されたコーラＩＤを入力することができると共に最初のＤＴＭＦ信号によるコーラＩＤをもＤＴＭＦレシーバ２から入力することができ、１つのＤＴＭＦレシーバ２で複数のラインＬ１、Ｌ２のＤＴＭＦ信号を検出することができる。
【００２９】
また、複数のラインＬ１、Ｌ２のＤＴＭＦ信号が入力される第１の入力ライン９と複数のラインＬ１、Ｌ２のうちのいずれかのラインに接続される第２の入力ライン１０とを切り替えると共に第１の入力ライン９または第２の入力ライン１０をＤＴＭＦレシーバ２に接続する第１のスイッチＳＷ１と、複数のラインＬ１、Ｌ２のうちのいずれかのラインを選択すると共に選択したラインを第２の入力ライン１０に接続する第２のスイッチＳＷ２とを備えたことにより、ＤＴＭＦレシーバ２からのコーラＩＤの入力によりＤＴＭＦ信号の到来を認識した時点においてＤＴＭＦレシーバ２を第２の入力ライン１０すなわち第２のスイッチＳＷ２に接続し、ＤＴＭＦ有無検知回路５、６からの通知に基づいて選択したラインと第２の入力ライン１０とを第２のスイッチＳＷ２により接続することができるので、確実に到来ＤＴＭＦ信号のみをＤＴＭＦレシーバ２に入力してコーラＩＤを生成することができる。
【００３０】
さらに、中央処理装置１は、ＤＴＭＦレシーバ２からコーラＩＤを入力したか否かを判定する受信判定手段１２と、受信判定手段１２においてコーラＩＤを入力したと判定したときにいずれのラインにＤＴＭＦ信号が到来したかをＤＴＭＦ有無検知回路５、６からの信号に基づいて判別するライン判別手段１３とを有することにより、ＤＴＭＦ信号が到来したか否かということと、いずれのラインにＤＴＭＦ信号が到来したかということを確実に認識することができるので、第１のスイッチＳＷ１と第２のスイッチＳＷ２とを制御して、ＤＴＭＦレシーバ２と第２のスイッチＳＷ２とを確実に接続し、ＤＴＭＦ有無検知回路５、６からの通知に基づいて選択した選択したラインと第２の入力ライン１０とを確実に接続することができる。
【００３１】
さらに、中央処理装置１は、ＤＴＭＦレシーバ２からコーラＩＤを入力したか否かを判定する受信判定手段１２と、受信判定手段１２においてコーラＩＤを入力したと判定したときはいずれのラインがＤＴＭＦ信号が到来した到来ラインであるかをＤＴＭＦ有無検知回路５、６からの信号に基づいて判別するライン判別手段１３と、受信判定手段１２においてコーラＩＤを入力したと判定したときに第１のスイッチＳＷ１により第２の入力ライン１０とＤＴＭＦレシーバ２とを接続させると共にライン判別手段１３において判別した到来ラインと第２の入力ライン１０とを第２のスイッチＳＷ２により接続させるスイッチ制御手段１１とを有することにより、第１のスイッチＳＷ１と第２のスイッチＳＷ２とをスイッチ制御手段１１により制御して、ＤＴＭＦレシーバ２と第２のスイッチＳＷ２とを確実に接続し、到来ラインと第２の入力ライン１０とを確実に接続することができる。
【００３２】
さらに、スイッチ制御手段１１は、ＤＴＭＦレシーバ２からコーラＩＤの１桁目の受信を完了したときに直ちに第１のスイッチＳＷ１を第２の入力ライン１０に接続することにより、ＤＴＭＦレシーバ２に接続されるラインは、複数のラインＬ１、Ｌ２から選択ライン（到来ライン）に直ちに切り替えられるので、選択ライン以外のラインのＤＴＭＦ信号やベル信号がＤＴＭＦレシーバ２に入力されることが防止され、ＤＴＭＦレシーバ２におけるコーラＩＤの誤検出が防止される。
【００３３】
【発明の効果】
以上説明したように本発明の請求項１に記載の電話装置によれば、複数のラインのＤＴＭＦ信号を受信することが可能な１つのＤＴＭＦレシーバと、複数のラインのいずれのラインにＤＴＭＦ信号が到来しているかを検知するＤＴＭＦ有無検知回路と、ＤＴＭＦレシーバにおいてＤＴＭＦ信号から生成されたコーラＩＤを入力すると共に全体を制御する中央処理装置とを有することにより、中央処理装置は、複数のラインのいずれかにＤＴＭＦ信号が到来すれば、ＤＴＭＦレシーバからのコーラＩＤの入力によりＤＴＭＦ信号の到来を認識することができ、いずれのラインにＤＴＭＦ信号が到来しているかをＤＴＭＦ有無検知回路からの通知に基づいて認識することができるので、直ちにＤＴＭＦ信号が到来しているラインとＤＴＭＦレシーバとを接続してＤＴＭＦ信号から生成されたコーラＩＤを入力することができると共に最初のＤＴＭＦ信号によるコーラＩＤをもＤＴＭＦレシーバから入力することができ、１つのＤＴＭＦレシーバで複数のラインのＤＴＭＦ信号を検出することができるという有利な効果が得られる。
【００３４】
請求項２に記載の電話装置によれば、請求項１に記載の電話装置において、複数のラインのＤＴＭＦ信号が入力される第１の入力ラインと複数のラインのうちのいずれかのラインに接続される第２の入力ラインとを切り替えると共に第１の入力ラインまたは第２の入力ラインをＤＴＭＦレシーバに接続する第１のスイッチと、複数のラインのうちのいずれかのラインを選択すると共に選択したラインを第２の入力ラインに接続する第２のスイッチとを備えたことにより、ＤＴＭＦレシーバからのコーラＩＤの入力によりＤＴＭＦ信号の到来を認識した時点においてＤＴＭＦレシーバを第２の入力ラインすなわち第２のスイッチに接続し、ＤＴＭＦ有無検知回路からの通知に基づいて選択したラインと第２の入力ラインとを第２のスイッチにより接続することができるので、確実に到来ＤＴＭＦ信号のみをＤＴＭＦレシーバに入力してコーラＩＤを生成することができるという有利な効果が得られる。
【００３５】
請求項３に記載の電話装置によれば、請求項１に記載の電話装置において、中央処理装置は、ＤＴＭＦレシーバからコーラＩＤを入力したか否かを判定する受信判定手段と、受信判定手段においてコーラＩＤを入力したと判定したときにいずれのラインにＤＴＭＦ信号が到来したかをＤＴＭＦ有無検知回路からの信号に基づいて判別するライン判別手段とを有することにより、ＤＴＭＦ信号が到来したか否かということと、いずれのラインにＤＴＭＦ信号が到来したかということを確実に認識することができるので、第１のスイッチと第２のスイッチとを制御して、ＤＴＭＦレシーバと第２のスイッチとを確実に接続し、ＤＴＭＦ有無検知回路からの通知に基づいて選択した選択したラインと第２の入力ラインとを確実に接続することができるという有利な効果が得られる。
【００３６】
請求項４に記載の電話装置によれば、請求項２に記載の電話装置において、中央処理装置は、ＤＴＭＦレシーバからコーラＩＤを入力したか否かを判定する受信判定手段と、受信判定手段においてコーラＩＤを入力したと判定したときはいずれのラインがＤＴＭＦ信号が到来した到来ラインであるかをＤＴＭＦ有無検知回路からの信号に基づいて判別するライン判別手段と、受信判定手段においてコーラＩＤを入力したと判定したときに第１のスイッチにより第２の入力ラインとＤＴＭＦレシーバとを接続させると共にライン判別手段において判別した到来ラインと第２の入力ラインとを第２のスイッチにより接続させるスイッチ制御手段とを有することにより、第１のスイッチと第２のスイッチとをスイッチ制御手段により制御して、ＤＴＭＦレシーバと第２のスイッチとを確実に接続し、到来ラインと第２の入力ラインとを確実に接続することができるという有利な効果が得られる。
【００３７】
請求項５に記載の電話装置によれば、請求項２または４に記載の電話装置において、スイッチ制御手段は、ＤＴＭＦレシーバからコーラＩＤの１桁目の受信を完了したときに直ちに第１のスイッチを第２の入力ラインに接続することにより、ＤＴＭＦレシーバに接続されるラインは、複数のラインから選択ライン（到来ライン）に直ちに切り替えられるので、選択ライン以外のラインのＤＴＭＦ信号やベル信号がＤＴＭＦレシーバに入力されることが防止され、ＤＴＭＦレシーバにおけるコーラＩＤの誤検出が防止されるという有利な効果が得られる。
【図面の簡単な説明】
【図１】本発明の実施の形態１による電話装置を示すブロック図
【図２】ＣＰＵにおける機能実現手段を示す機能ブロック図
【図３】ＣＰＵの動作を示すフローチャート
【図４】（ａ）到来するＤＴＭＦ信号を示すタイミング図
（ｂ）第１のスイッチの切替え位置を示すタイミング図
（ｃ）第２のスイッチの切替え位置を示すタイミング図
（ｄ）第１のＤＴＭＦ有無検知回路の出力信号を示すタイミング図
（ｅ）第２のＤＴＭＦ有無検知回路の出力信号を示すタイミング図
【符号の説明】
１  ＣＰＵ（中央処理装置）
２  ＤＴＭＦレシーバ
３、４  スイッチ切替え回路
５  ＤＴＭＦ有無検知回路（第１のＤＴＭＦ有無検知回路）
６  ＤＴＭＦ有無検知回路（第２のＤＴＭＦ有無検知回路）
７、８  コンデンサ
９  第１の入力ライン
１０  第２の入力ライン
１１  スイッチ制御手段
１２  受信判定手段
１３  ライン判別手段
１４  受信処理手段
１５  受信終了判定手段
ＳＷ１  第１のスイッチ
ＳＷ２  第２のスイッチ
【図１】
2004158918.tif 000003
【図２】
2004158918.tif 000004
【図３】
2004158918.tif 000005
【図４】
2004158918.tif 000006